(57)【要約】【課題】シュートの変形による落下を防止するとともに、着脱容易なシュート取付構造を有するアイス供給装置を提供する。【解決手段】排出口４３１を有した貯氷部４２と、氷を案内するシュート５０とを有したアイス供給装置において、貯氷部４２の外面において排出口４３１の両側となる部位からそれぞれ突出し、互いに対向する位置に貫通孔４３３ａ，４３４ａを有した一対の側壁４３３，４３４と、シュート５０において一対の側壁４３３，４３４に対向する部位に配設し、貫通孔４３３ａ，４３４ａに対向する部位にロッド挿入孔５６１ｂ，５７を有した一対の側壁部５１３，５１４と、側壁４３３，４３４の貫通孔４３３ａ，４３４ａおよび側壁部５１３，５１４のロッド挿入孔５６１ｂ，５７に渡って着脱可能に貫通することにより、一対の側壁部５１３，５１４を介してシュート５０を側壁４３３，４３４に支持させる支持ロッド６０とを備えた。【選択図】図８
2012117739.tif 000002
【特許請求の範囲】
【請求項１】
内部に貯留した氷を排出する排出口を有した貯氷部と、
前記貯氷部の排出口から排出された氷を下流に案内するシュートとを有したアイス供給装置において、
前記貯氷部の外面において前記排出口の両側となる部位からそれぞれ突出し、互いに対向する位置に貫通孔を有した一対の支持壁体と、
前記シュートにおいて前記一対の支持壁体に対向する部位に配設し、前記貫通孔に対向する部位にロッド挿入孔を有した一対の側壁部と、
前記支持壁体の貫通孔および前記側壁部のロッド挿入孔に渡って着脱可能に貫通することにより、前記一対の側壁部を介して前記シュートを前記支持壁体に支持させる支持ロッドと
を備えたことを特徴とするアイス供給装置。
【請求項２】
前記支持ロッドは、直線上に延在し、前記支持壁体の貫通孔および前記側壁部のロッド挿入孔に渡って貫通される貫通部と、前記貫通部の一端から屈曲して延在した壁当接部と、壁当接部の延在端部から貫通部とは反対方向に向けて延在した支持当接部とを有し、
前記シュートの一方の側壁部には、前記ロッド挿入孔から径外方向に延在し、該ロッド挿入孔に支持ロッドの貫通部を挿入した場合に前記壁当接部を挿通させる挿入溝部と、前記挿入溝部の延在端部から前記貫通孔の軸心を中心とした円弧状に延在し、該貫通孔の鉛直下方に至る円弧溝部と、前記円弧溝部から前記貫通孔に近接する方向に屈曲した支持溝部とを有し、
前記支持ロッドの貫通部を前記支持壁体の貫通孔および前記側壁部のロッド挿入孔に渡って貫通させ、かつ前記壁当接部を前記挿入溝部に挿通させた状態で、前記支持ロッドを前記貫通部の軸心回りに回転させ、前記支持当接部を前記支持溝部に係止させることによって前記シュートを前記一対の支持壁体に支持させることを特徴とする請求項１に記載のアイス供給装置。
【発明の詳細な説明】
【技術分野】
【０００１】
本発明は、シュートを介して貯氷部から排出した氷の供給を行うアイス供給装置に関するものである。
【背景技術】
【０００２】
従来、コールド飲料にチップアイス等の氷を供給するアイス供給装置には、排出口を備えた貯氷部と、排出口に取付けられて氷をカップへ移送するシュートとが設けられている（例えば、特許文献１参照）。排出口にはソレノイド装置の駆動によって開閉する扉が設けられており、ソレノイド装置を駆動して扉を開成すると、貯氷部に貯留された氷がシュートを通じてカップに供給される。アイス供給装置のシュートは、衛生上の観点から取外して洗浄できるように貯氷部に対して着脱自在に取付けられている。
【０００３】
【特許文献１】特開平７−６２５３号公報
【発明の開示】
【発明が解決しようとする課題】
【０００４】
上述したアイス供給装置におけるシュートの取付構造としては、図１１Ａおよび図１１Ｂに示すように、樹脂製のシュート７０に形成された挿入溝７１１，７２１に貯氷部８０の排出口８１の近傍に取付けられた段付ビス８２，８３を嵌入して固定するものがある。
【０００５】
挿入溝７１１，７２１は、図１１Ａおよび図１１Ｂに示すように、筒状のシュート本体７３の両側面から外側に向けて突出した爪部７１，７２に形成されている。挿入溝７１１，７２１の幅は、図１１Ｂに示すように、爪部７１，７２の上端から下方に向けて開口の幅が漸次狭くなった後、それぞれの下端部が段付ビス８２，８３の径より少し大きめに形成してある。
【０００６】
この取付構造では、段付ビス８２，８３を挿入溝７１１，７２１の開口上部に位置した状態で排出口８１の下方からシュート７０を上方へ移動させると、爪部７１，７２の挿入溝７１１，７２１が弾性的に拡開するため段付ビス８２，８３を挿通させることができる。その後、段付ビス８２，８３が挿入溝７１１，７２１の下端部に至ると、挿入溝７１１，７２１の幅が再び狭くなり、段付ビス８２，８３の通過が阻止されるため、シュート７０を保持することができるようになる。一方、シュート７０を取外す場合には、強制的に下方に移動させることで、挿入溝７１１，７２１が拡開することになり、段付ビス８２，８３を逸脱させることでシュート７０を貯氷部８０から取外すことができる。
【０００７】
上述したシュート取付構造を有するアイス供給装置では、段付ビス８２，８３を挿入溝７１１，７２１に挿入・逸脱させる構成であるため、シュート７０の着脱が容易であるという利点がある。しかしながら、上記取付構造は、挿入溝７１１，７２１を弾性的に拡縮するものであり、使用が長期に渡ると、経年変化によって挿入溝７１１，７２１に変形を来した場合には、シュート７０の取付状態が不安定となり、最悪の場合、シュート７０が落下する可能性がある。
【０００８】
本発明は、上記実情に鑑みてなされたものであり、長期間使用してもシュートの落下を防止するとともに、着脱容易なシュート取付構造を有するアイス供給装置を提供することを目的とする。
【課題を解決するための手段】
【０００９】
上記の目的を達成するために、本発明におけるアイス供給装置は、内部に貯留した氷を排出する排出口を有した貯氷部と、前記貯氷部の排出口から排出された氷を下流に案内するシュートとを有したアイス供給装置において、前記貯氷部の外面において前記排出口の両側となる部位からそれぞれ突出し、互いに対向する位置に貫通孔を有した一対の支持壁体と、前記シュートにおいて前記一対の支持壁体に対向する部位に配設し、前記貫通孔に対向する部位にロッド挿入孔を有した一対の側壁部と、前記支持壁体の貫通孔および前記側壁部のロッド挿入孔に渡って着脱可能に貫通することにより、前記一対の側壁部を介して前記シュートを前記支持壁体に支持させる支持ロッドとを備えたことを特徴とする。
【００１０】
また、本発明は、上述のアイス供給装置において、前記支持ロッドは、直線上に延在し、前記支持壁体の貫通孔および前記側壁部のロッド挿入孔に渡って貫通される貫通部と、前記貫通部の一端から屈曲して延在した壁当接部と、壁当接部の延在端部から貫通部とは反対方向に向けて延在した支持当接部とを有し、前記シュートの一方の側壁部には、前記ロッド挿入孔から径外方向に延在し、該ロッド挿入孔に支持ロッドの貫通部を挿入した場合に前記壁当接部を挿通させる挿入溝部と、前記挿入溝部の延在端部から前記貫通孔の軸心を中心とした円弧状に延在し、該貫通孔の鉛直下方に至る円弧溝部と、前記円弧溝部から前記貫通孔に近接する方向に屈曲した支持溝部とを有し、前記支持ロッドの貫通部を前記支持壁体の貫通孔および前記側壁部のロッド挿入孔に渡って貫通させ、かつ前記壁当接部を前記挿入溝部に挿通させた状態で、前記支持ロッドを前記貫通部の軸心回りに回転させ、前記支持当接部を前記支持溝部に係止させることによって前記シュートを前記一対の支持壁体に支持させることを特徴とする。
【発明の効果】
【００１１】
本発明のアイス供給装置によれば、支持壁体の貫通孔および側壁部のロッド挿入孔に渡って支持ロッドを着脱可能に貫通することにより、一対の側壁部を介してシュートを支持壁体に支持させているため、シュートの変形による落下を防止することができる。しかも、支持ロッドを着脱可能に貫通しているため、シュートを容易に着脱することも可能である。
【図面の簡単な説明】
【００１２】
【図１】図１は、本発明の実施の形態であるアイス供給装置のシュート取付構造が適用された自動販売機の回路構成を示す概念図である。
【図２】図２は、本発明の実施の形態であるアイス供給装置の斜視図である。
【図３】図３は、図２に示したアイス供給装置における製氷機の排出口を示す斜視図である。
【図４】図４は、図２に示したアイス供給装置におけるシュートを背面側から見た斜視図である。
【図５】図５は、図４に示したシュートの正面図である。
【図６】図６は、図４に示したシュートの左側面図である。
【図７】図７は、図４に示したシュートの右側面図である。
【図８】図８は、図２に示したアイス供給装置におけるシュート取付状態を示す正面図である。
【図９】図９は、本発明の実施の形態である支持ロッドを示す正面図である。
【図１０】図１０は、支持ロッドの移動状態を示す図である。
【図１１Ａ】図１１Ａは、従来のアイス供給装置のシュート取付構造を示す斜視図である。
【図１１Ｂ】図１１Ｂは、図１１Ａに示したアイス供給装置におけるシュート取付状態を示す正面図である。
【発明を実施するための最良の形態】
【００１３】
以下に添付図面を参照しながら、本発明に係るアイス供給装置のシュート取付構造の好適な実施の形態を詳細に説明する。
【００１４】
本発明のアイス供給装置が装備されたカップ式飲料自動販売機１は、所定の搬送機構（図示せず）によって搬送されてベンドステージＳに載置した飲料容器であるカップＣに対して、コールド飲料やホット飲料を抽出するものであり、図１に示すように、冷水・炭酸水供給回路１０、シロップ供給回路２０、温水・コーヒー供給回路３０および製氷機４０を備えている。
【００１５】
冷水・炭酸水供給回路１０は、冷水または炭酸水をカップＣに注出するものであり、水リザーバ１１、ポンプ１２、冷水配管１３、冷却水槽１４、水冷却コイル１５、カーボネータ１６、冷水供給配管１７および炭酸水供給配管１８を備えている。
【００１６】
水リザーバ１１は水道水を貯留するものであり、給水バルブ１１１を開成すると水道水が水リザーバ１１に供給されて貯留される。ポンプ１２を駆動することにより、水リザーバ１１に貯留された水は冷水配管１３に送出される。冷水配管１３に送出された水は、冷却水槽１４に貯留した冷却用水１４１に浸漬した水冷却コイル１５を経由することにより冷却される。水冷却コイル１５には冷水供給配管１７とカーボネータ１６が接続してある。
【００１７】
冷水供給配管１７は、冷水バルブ１７１を有しており、冷水バルブ１７１を開成すると水冷却コイル１５で冷却された冷が冷水供給配管１７を通じてベンドステージＳに載置したカップＣに注出される。
【００１８】
カーボネータ１６は、水冷却コイル１５と逆止弁１６１を介して接続してある。カーボネータ１６は、炭酸ガス導入配管２１１を介して炭酸ガスボンベ２１と接続されており、炭酸ガスボンベ２１から供給された炭酸ガスを、水冷却コイル１５から供給された冷水に溶解することで炭酸水を生成している。カーボネータ１６で生成された炭酸水は、炭酸水バルブ１８１を有した炭酸水供給配管１８を通じてベンドステージＳに載置したカップＣに注出される。
【００１９】
シロップ供給回路２０は、飲料の原液となるシロップをカップＣに注出するものであり、炭酸ガスボンベ２１、シロップコンテナ２２、シロップ売切検知器２３およびシロップ冷却配管２４を備えている。
【００２０】
炭酸ガスボンベ２１とシロップコンテナ２２とは炭酸ガス導入配管２１１を介して接続してある。シロップコンテナ２２はシロップ飲料の原料となる各種のシロップがそれぞれ貯留してある。シロップコンテナ２２はシロップ売切検知器２３とシロップバルブ２４１を設けたシロップ冷却配管２４に接続してある。シロップ冷却配管２４の一部は冷却水槽１４の冷却用水１４１に浸漬されている。シロップバルブ２４１を開成すると、炭酸ガスボンベ２１の炭酸ガスの圧力によって、シロップコンテナ２２のシロップがシロップ冷却配管２４に送出される。シロップ冷却配管２４を経由して冷却されたシロップはベンドステージＳに載置したカップＣに注出される。
【００２１】
温水・コーヒー供給回路３０は、温水、ホット飲料またはコーヒー飲料をカップＣに注出するものであり、温水配管３１、貯湯タンク３２、インスタント飲料調理部３３およびレギュラーコーヒー飲料調理部３４を備えている。
【００２２】
温水配管３１は、逆止弁３１１を介してポンプ１２および水リザーバ１１と接続してあり、ポンプ１２を駆動することにより、水リザーバ１１から供給される水が貯湯タンク３２に送出される。貯湯タンク３２は、加熱源としてのヒータ（図示せず）を有しており、温水配管３１を通じて供給された水を加熱して湯として貯留する。
【００２３】
インスタント飲料調理部３３は、原料キャニスタ３３１、ミキシングボール３３２およびホット飲料供給配管３３３を備えている。
【００２４】
原料キャニスタ３３１は、例えばココア、紅茶、砂糖、ミルクなどの各種粉末原料を収容したものである。ミキシングボール３３２は、シュータ３３４を介して原料キャニスタ３３１に連設してあり、かつ、添加湯バルブ３２１を有した添加湯供給配管３２２を通じて貯湯タンク３２に接続してある。ミキシングボール３３２は、原料キャニスタ３３１から投入された粉末原料と、貯湯タンク３２から添加湯供給配管３２２を通じて供給された添加湯とを混合攪拌するものである。ミキシングボール３３２で混合攪拌されたインスタント飲料は、ミキシングボール３３２に接続されたホット飲料供給配管３３３を通じてベンドステージＳに載置したカップＣに注出される。
【００２５】
レギュラーコーヒー飲料調理部３４は、レギュラーコーヒー抽出部３４１、原料キャニスタ３４２、ミキシングボール３４３およびコーヒー飲料供給配管３４４を備えている。
【００２６】
レギュラーコーヒー抽出部３４１は、コーヒー豆キャニスタ３４１ａ、ミル３４１ｂ、コーヒー飲料抽出器３４１ｃを有している。コーヒー豆キャニスタ３４１ａは、コーヒー豆を収容したものである。ミル３４１ｂは、コーヒー豆キャニスタ３４１ａから投入されたコーヒー豆を挽くものであり、コーヒー豆キャニスタ３４１ａの下方に配設してある。コーヒー飲料抽出器３４１ｃは、ミル３４１ｂの下方に配設してあり、かつ、添加湯バルブ３２１を有した添加湯供給配管３２２を通じて貯湯タンク３２に接続してある。コーヒー飲料抽出器３４１ｃは、ミル３４１ｂから投入された挽き豆と、貯湯タンク３２から添加湯供給配管３２２を通じて供給された添加湯とからレギュラーコーヒー飲料を抽出するものである。コーヒー飲料抽出器３４１ｃにおいてレギュラーコーヒー飲料を抽出した後の挽き豆の滓は、滓バケツＢに投入される。
【００２７】
原料キャニスタ３４２は、例えば砂糖、ミルクなどの各種粉末原料を収容したものである。ミキシングボール３４３は、シュータ３４５を介して原料キャニスタ３４２に連設してあり、かつ、レギュラーコーヒー飲料供給配管３４６を通じてコーヒー飲料抽出器３４１ｃに接続してあり、さらに、添加湯バルブ３２１を有した添加湯供給配管３２２を通じて貯湯タンク３２に接続してある。ミキシングボール３４３は、シュータ３４５を通じて原料キャニスタ３４２から投入された各種粉末原料と、レギュラーコーヒー飲料供給配管３４６を通じてコーヒー飲料抽出器３４１ｃから送出されたレギュラーコーヒー飲料とを混合攪拌するものである。ミキシングボール３４３で攪拌混合されたレギュラーコーヒー飲料は、ミキシングボール３４３に接続されたコーヒー飲料供給配管３４４を通じてベンドステージＳに載置したカップＣに注出される。
【００２８】
製氷機４０は、製氷用水導入配管１１２を介して水リザーバ１１に接続し、製氷用水導入配管１１２を通じて水リザーバ１１から移送された水を用いて氷を製造・貯留するものである。図２に示すように、製氷機４０は、製氷部４１と貯氷部４２とを有している。図には明示していないが、製氷部４１は、円筒状のパイプ４１１の内部に配設したスクリュ形状のオーガの回転により、パイプ４１１の筒内に生じた氷を切削しつつ図２の上方に押し上げるようにしたオーガ式と称されるものである。パイプ４１１の上部には、固定刃が設けてあり、この固定刃により、オーガで押し上げられた氷を切削してチップ状の氷を生成する。貯氷部４２は、図２に示すように円筒形に形成されておりパイプ４１１の上方に設けてある。
【００２９】
貯氷部４２には、氷を排出するための排出部４３が設けてある。貯氷部４２の排出部４３から排出された氷は、シュート５０、接続シュート５０１およびアイスノズル５０２を備えた氷供給配管５を通じてベンドステージＳに載置したカップＣの内部に投入される。
【００３０】
排出部４３は、図３に示すように、排出口４３１と、傾斜壁４３２と、一対の側壁（支持壁体）４３３，４３４とを備えている。排出口４３１は、貯氷部４２を構成する壁の一部を切り欠いて形成した矩形状の開口である。傾斜壁４３２は、排出口４３１の下縁から外方に向けて漸次下方に傾斜する金属製の板材である。図３からも明らかなように、傾斜壁４３２の先端縁は、円弧の凹状に切り欠いてある。側壁４３３，４３４は、排出口４３１の両側縁から外方に向けて設けた金属製の板材であり、互いに平行、かつ個々の下端部が傾斜壁４３２の側縁に連続している。側壁４３３，４３４には、それぞれの上端部において外方に位置する部位に貫通孔４３３ａ，４３４ａが形成してある。貫通孔４３３ａ，４３４ａは、側壁４３３，４３４を貫通する円形の開口であり、個々の軸心が水平方向に沿って互いに合致する位置に設けてある。
【００３１】
排出部４３の上方にはソレノイド装置４４が取付けられている。ソレノイド装置４４は排出口４３１を開閉する扉４５と接続してあり、図示しない制御装置により扉４５の開動作および閉動作を行う。
【００３２】
貯氷部４２において排出部４３の上方となる部位には、枠体４６，４７が設けられている。枠体４６，４７は、排出部４３の両側から側壁４３３，４３４に対して平行となるように突出した板材であり、板材の一部を排出部４３の外側に向けて９０度屈曲して形成した固定部４６１，４７１を有している。固定部４６１，４７１には段付ネジ４６２，４７２が装着してある。枠体４６と枠体４７との間の幅は、側壁４３３と側壁４３４の間の幅より大きく確保してある。
【００３３】
シュート５０は、樹脂で形成されており、図４〜図７に示すように、シュート本体５１と連結部５３とを有している。連結部５３は、シュート本体５１の下方に形成してあり、接続シュート５０１と連結してある。接続シュート５０１の下流端にはアイスノズル５０２が接続してある。
【００３４】
シュート本体５１は、排出部４３から排出された氷が通過する部位である。シュート本体５１は断面が略四角形に形成された中空管であり、図４〜図７に示すように、シュート本体５１の正面および背面は開口５２から連結部５３に向けて細くなるように傾斜して形成してある。図には示していないが、シュート本体５１の所定の位置には、排出部４３の扉４５の開放時間をカウントすることで排出する氷の量を計測するための光センサが取付けられている。図４から明らかなように、シュート本体５１の開口５２は、上方および背面側に開口した形状となっている。
【００３５】
シュート本体５１において開口５２の側方を覆う左側壁部５１３と右側壁部５１４とは、互いの間の幅が排出部４３の二つの側壁４３３，４３４の間の幅より大きく形成してある。シュート本体５１の左側壁部５１３には、第一爪部５４および異形孔５６が形成してあり、シュート本体５１の右側壁部５１４には第二爪部５５およびロッド挿入孔５７が形成してある。
【００３６】
第一爪部５４および第二爪部５５は、図４および図５に示すように、板状部材であって左側壁部５１３および右側壁部５１４の外側面から直角方向に突出している。第一爪部５４および第二爪部５５は、シュート５０のシュート本体５１に対して互いに対称であり、それぞれに溝部５４１，５５１が形成してある。溝部５４１，５５１は、板状の第一爪部５４および第二爪部５５の上端部に形成した第一溝部５４１ａ，５５１ａと、第一溝部５４１ａ，５５１ａの下方に連接して細く切欠いた第二溝部５４１ｂ，５５１ｂとを有している。第一溝部５４１ａ，５５１ａにはそれぞれのほぼ中央となる高さ位置に凸部５４１ｃ，５５１ｃが形成してある。
【００３７】
異形孔５６は、図６に示すように、シュート本体５１の左側壁部５１３を水平方向に延在して切欠いた第一切欠部（挿入溝部）５６１と、第一切欠部５６１の一端５６１ａから第一切欠部５６１の他端（ロッド挿入孔）５６１ｂの下方に向かって円弧状に切欠いた第二切欠部（円弧溝部）５６２と、第二切欠部５６２の下端５６２ａから上方に幅広く切欠いた溝（支持溝部）５６２ｂとを一連に形成したものである。第一切欠部５６１は、貯氷部４２の排出部４３に対してシュート５０を取付けた場合に、側壁４３３，４３４に形成した貫通孔４３３ａ，４３４ａに対向する高さ位置に形成してある。
【００３８】
ロッド挿入孔５７は、図７に示すように、シュート本体５１の右側壁部５１４の一部を水平方向に幅広く切欠いて形成した開口である。このロッド挿入孔５７は、第一爪部５４に形成した異形孔５６の第一切欠部５６１と同じ高さ位置であり、第一切欠部５６１の他端５６１ｂに対向する位置に形成してある。
【００３９】
このシュート５０を貯氷部４２の排出部４３に取付けるには、第一爪部５４および第二爪部５５の溝部５４１，５５１にそれぞれ段付ネジ４６２，４７２を合致させた状態で開口５２の内部に排出部４３を下方から挿入し、そのままシュート５０を上方に移動させ、さらに異形孔５６の第一切欠部５６１およびロッド挿入孔５７の位置が貫通孔４３３ａ，４３４ａと一直線上に位置した状態で支持ロッド６０を貫通させる。
【００４０】
支持ロッド６０は、一様な外形を有した金属製の円柱状部材であり、図９に示すように、貫通部６１、壁当接部６２および支持当接部６３を有している。貫通部６１は、直線上に延在する部分であり、シュート本体５１の二つの左側壁部５１３および右側壁部５１４の相互間距離よりも大きな長さに形成してある。壁当接部６２は、貫通部６１の一端から直角方向に屈曲した部分である。この壁当接部６２は、シュート５０に形成した第一切欠部５６１よりも僅かに短く形成されており、第一切欠部５６１を挿通させることが可能である。支持当接部６３は、壁当接部６２の延在端部から貫通部６１とは反対方向に向けて延在した部分である。
【００４１】
上記のように構成した支持ロッド６０によってシュート５０を排出部４３に支持させるには、異形孔５６の第一切欠部５６１およびロッド挿入孔５７の位置が貫通孔４３３ａ，４３４ａと一直線上に位置した状態で異形孔５６から貫通部６１を挿入し、貫通孔４３３ａ、貫通孔４３４ａを経てロッド挿入孔５７まで挿通させる。このとき、図１０（ａ）に示すように、壁当接部６２がほぼ水平となる姿勢で支持ロッド６０を挿入することにより、壁当接部６２を異形孔５６の第一切欠部５６１に挿入する。
【００４２】
次に、壁当接部６２が第一切欠部５６１に挿通された状態で、貫通孔４３４ａの軸心周りに支持ロッド６０を回転させ、図１０（ｂ）に示すように、支持当接部６３を第二切欠部５６２に沿って下方に位置させる。第二切欠部５６２の下端５６２ａに移動した支持当接部６３は、図１０（ｃ）に示すように、シュート５０の自重により第二切欠部５６２の下端５６２ａの溝５６２ｂに挿入され、第二切欠部５６２内の移動が制限されたロック状態となる。また、左側壁部５１３の内面と側壁４３３の外面との間に、支持ロッド６０の壁当接部６２が挟装され、図８に示す支持ロッド６０の長手方向への移動が制限される。従って、図１０（ｄ）に示すように、シュート５０の右側壁部５１４側では、貫通部６１が貫通孔４３４ａおよびロッド挿入孔５７を貫通した状態で保持される。
【００４３】
シュート５０を排出部４３から取外すには、シュート５０を上方に移動し、図１０（ｃ）に位置する支持ロッド６０の支持当接部６３を異形孔５６の溝５６２ｂから逸脱させる。次に、支持ロッド６０を貫通孔４３４ａの軸心周りに回転させ、図１０（ｂ）に示すように第二切欠部５６２に沿って第一切欠部５６１の一端５６１ａへ移動し、図１０（ａ）に示す位置に配置する。この状態で支持ロッド６０を図１０（ａ）の表面側に引抜くことにより、シュート５０と排出部４３の係合が解除される。その後、シュート５０を排出部４３の下方に移動して、第一溝部５４１ａ，５５１ａから段付ネジ４６２，４７２を逸脱することでシュート５０が取外される。
【００４４】
上述したシュート５０では、支持ロッド６０を異形孔５６、貫通孔４３３ａ，４３４ａおよびロッド挿入孔５７に挿入する構造であるため、支持ロッド６０を外さない限りシュート５０が落下することがない。また、シュート５０を排出部４３に取付けた状態において、支持ロッド６０はシュート本体５１側面と排出部４３の側壁４３３との間に壁当接部が配設され、長手方向への移動が制限されるため、不意に支持ロッド６０が外れる虞もない。また、支持ロッド６０を挿入、引抜きする動作によってシュート５０を排出部４３に取付け、取外しすることができる。従って、シュート５０の着脱作業が煩雑になることもない。
【００４５】
なお、本発明の好適な実施の形態としてカップ式飲料自動販売機について説明したが、本発明はこれに限定されるものではなく、他の飲料供給装置またはアイスディスペンサに設置されるアイス供給装置に適用することができる。
【符号の説明】
【００４６】
１    カップ式飲料自動販売機
４２    貯氷部
４３    排出部
５０    シュート
５６    異形孔
５７    ロッド挿入孔
６０    支持ロッド
６１    貫通部
６２    壁当接部
６３    支持当接部
４３１    排出口
４３３，４３４    側壁
４３３ａ，４３４ａ    貫通孔
５１３    左側壁部
５１４    右側壁部
５６１    第一切欠部
５６１ａ    一端
５６１ｂ    他端
５６２    第二切欠部
５６２ａ    下端
５６２ｂ    溝
【図１】
2012117739.tif 000003
【図３】
2012117739.tif 000004
【図４】
2012117739.tif 000005
【図５】
2012117739.tif 000006
【図６】
2012117739.tif 000007
【図７】
2012117739.tif 000008
【図８】
2012117739.tif 000009
【図９】
2012117739.tif 000010
【図１０】
2012117739.tif 000011
【図１１Ａ】
2012117739.tif 000012
【図１１Ｂ】
2012117739.tif 000013
【図２】
2012117739.tif 000014